(57)【特許請求の範囲】
【請求項１】
留めを外すとひとりでに所望角度に開くようにされてなる物品を覆う表装体であって、
表面部と裏面部と背部とを一体化して含む本体部と、前記本体部内部に前記背部を跨ぐように配設された超弾性を有する所要数の所望角度開部材と、を有することを特徴とする表装体。
【請求項２】
表装体がブックカバーとされ、所望角度開部材が超弾性を有する形状記憶合金からなるワイヤとされ、
前記ワイヤが、前記ブックカバーの開く方向に沿って配設され、
前記ブックカバーが、所望頁開伸縮部材を有し、
所望頁開伸縮部材は、前記前記ブックカバーの内側に上下方向に配設されてなる
ことを特徴とする請求項１記載の表装体。
【請求項３】
所望頁開伸縮部材がゴムバンドとされてなることを特徴とする請求項２記載の表装体。
【請求項４】
表装体がスマートフォンカバーとされてなることを特徴とする請求項１記載の表装体。
【発明の詳細な説明】
【技術分野】
【０００１】
本発明は改良された表装体に関する。さらに詳しくは、ブックカバーやスマートフォンカバーなどのように物品を覆う表装体の改良に関する。
【背景技術】
【０００２】
従来より、本の傷みを防止するためにブックカバーが用いられている。このブックカバーにより表装された本を読む場合、ブックカバーの留めを外してブックカバーを開き、ついで本の所定ページを開くことがなされている。
【０００３】
このように、ブックカバーにより表装された本を読む場合、ブックカバーがなされていない本を読む場合に比して、本を読むまでに手間がかかる。
【０００４】
そのため、関係者からブックカバーを開くと同時に所定のページが開くようなブックカバーの出現が求められている。
【０００５】
なお、特許文献１には、読んでいる頁に自動的に挟まるしおりの提案がなされている。
【先行技術文献】
【特許文献】
【０００６】
【特許文献１】特開２００８−６８６０９号公報
【発明の開示】
【発明が解決しようとする課題】
【０００７】
本発明はかかる従来技術の課題に鑑みなされたものであって、ブックカバーを開くと同時に所定のページが開かれるブックカバーを提供することを主たる目的とし、さらに留めを外すと同時に所定の角度で開く表装体をも提供することを目的としている。
【課題を解決するための手段】
【０００８】
本発明は留めを外すとひとりでに所望角度に開くようにされてなる物品を覆う表装体であって、表面部と裏面部と背部とを一体化して含む本体部と、前記本体部内部に前記背部を跨ぐように配設された超弾性を有する所要数の所望角度開部材と、を有することを特徴とする。
【０００９】
本発明の表装体は、例えばブックカバーとされ、表装体がブックカバーとされ、所望角度開部材が超弾性を有する形状記憶合金からなるワイヤとされ、  前記ワイヤが、前記ブックカバーの開く方向に沿って配設され、 前記ブックカバーが、所望頁開伸縮部材を有し、所望頁開伸縮部材は、前記前記ブックカバーの内側に上下方向に配設されてなるものとされる。その場合、所望頁開伸縮部材がゴムバンドとされ、前記ゴムバンドがブックカバーの内側に上下方向に配設されてなるのが好ましい。
【００１０】
また、本発明においては、表装体がスマートフォンカバーとされてもよい。
【発明の効果】
【００１１】
本発明は前記の如く構成されているので、留めを外すとひとりでに所望角度に開くので、開く手間が省けてすぐに読書が始められるという優れた効果を奏する。
【図面の簡単な説明】
【００１２】
【図１】本発明の一実施形態に係るブックカバーを開いた状態の平面図である。
【図２】図１のＡ−Ａ線断面図である。
【図３】ワイヤの繰り返し曲げ試験結果のグラフ図である。
【図４】本実施形態に係るブックカバーの使用態様の説明図である。
【発明を実施するための形態】
【００１３】
以下、添付図面を参照しながら本発明を実施形態に基づいて説明するが、本発明はかかる実施形態のみに限定されるものではない。
【００１４】
図１に、本発明の一実施形態に係るブックカバーＢを開いた状態の平面を概略図で示す。
【００１５】
ブックカバーＢは、図１に示すように、従来のブックカバーと同様とされた表面部１１と裏面部１２と背部１３とを一体化して含む本体部１と、本体部１内部に背部１３を跨ぐように超弾性を有する形状記憶合金からなるワイヤ(所望角度開部材)２を所要本(図示例では５本)上下方向に一定間隔で配列してなるものとされる。つまり、ワイヤ２はブックカバーＢが開く方向に沿って配列されてなるものとされる。ここで、ワイヤ２は所定角度で開くよう熱処理がなされて形状記憶させられている。
【００１６】
また、表面部１１は内面端部に本の表紙の端部半分程度が差し込まれる表紙端部収納部１１ａを有し、裏面部１２は内面端部に本の裏表紙の端部半分程度が差し込まれる裏表紙端部収納部１２ａと裏表紙端部収納部１２ａ表面に上下方向にゴムバンド（所望頁開伸縮部材）１２ｂを有している。ゴムバンド１２ｂは、次に開く頁以降を挟み込むものとされる。
【００１７】
なお、図中、符号３はブックカバーＢを閉じるためのブックカバー留めを構成する差し込み片を示し、符号４は差し込み片が差し込まれる差し込み部を示す。
【００１８】
ブックカバーＢは、より具体的には図２に示すように、表面部１１は外側材Ｓと内側材Ｕとを含むものとされ、裏面部１２は外側材Ｓと内側材Ｕとを含むものとされ、背部１３は外側材Ｓと内側材Ｕとを含むものとされ、各外側材Ｓは一体化されていわゆる一枚ものとされ、また各内側材Ｕも一体化されていわゆる一枚ものとされている。そして、各外側材Ｓ内面と各内側材Ｕ内面とは、例えば接着剤により接着されて一体化されている。
【００１９】
ここで、外側材Ｓの材質は、例えば皮や合成皮革とされ、一方内側材Ｕの材質は、例えば合成樹脂とされている。
【００２０】
外側材Ｓと内側材Ｕとの間には、前述したように所望角度開部材２が上下方向に所要本が一定間隔で配設されている。所望角度開部材２の線径は、例えば０．５〜０．７ｍｍ程度とされている。
【００２１】
なお、図２においては、所望角度開部材２の太さ、ならびに外側材Ｓおよび内側材Ｕの厚みは、理解の便宜上誇張されている。
【００２２】
図３に、ワイヤ（所望角度開部材）２の繰り返し曲げ試験結果をグラフで示す。
【００２３】
試験条件
ワイヤ    線径０．５ｍｍ（ＳＥ−ＮＴ（株式会社古河テクノマテリアル製商品名））
試験温度  室温
繰り返し条件  １００，５００，１０００サイクル／分
【００２４】
図３から、本ワイヤ２をブックカバーＢに使用すると、ブックカバーＢの使用時における最大歪が１．２％と推定されるので、一万回程度の開閉に耐えうることが理解される。
【００２５】
次に、図４を参照しながら、かかる構成とされたブックカバーＢの使用法について説明する。
【００２６】
手順１:本にブックカバーＢを装着する。
【００２７】
手順２:開きたい頁以降をゴムバンド１２ｂで挟む。
【００２８】
手順３:ブックカバーＢを閉じてブックカバー留めをする。
【００２９】
手順４:読書の際にブックカバー留めを外すとブックカバーＢはひとりでに所望の角度に開く。
【００３０】
このように、本実施形態のブックカバーＢによれば、読書の際にブックカバー留めを外すという簡単な動作により所望頁が開らかれ、すぐに読書が始められるという優れた効果が得られる。
【００３１】
以上、本発明を実施形態に基づいて説明してきたが、本発明はかかる実施形態のみに限定されるものではなく、種々改変が可能である。
【００３２】
例えば、本実施形態では表装体はブックカバーＢとされているが、表装体はブックカバーＢに限定されるものではなく、開閉されるものであればよく、例えばスマートフォンカバーとすることもできる。
【００３３】
また、本実施形態では横開きとされているが、縦開きとされてもよい。その場合、当然のことながら所望角度開部材２は縦方向に配列される。
【００３４】
また、ワイヤ２の本数および線径は、ブックカバーＢのサイズに応じて適宜調整され、前記本数および線径に限定されるものではない。
【産業上の利用可能性】
【００３５】
本発明は事務用品産業に適用できる。
【符号の説明】
【００３６】
Ｂ      ブックカバー
Ｓ      外側材
Ｕ      内側材
１      本体部
２      ワイヤ(所望角度開部材) 
３      ブックカバー留め
４      差し込み部
１１      表面部
１１ａ    表紙端部収納部
１２      裏面部
１２ａ    裏表紙端部収納部
１２ｂ    ゴムバンド（所望頁開伸縮部材）
１３      背部
【図１】
0006471935.tif 000002
【図２】
0006471935.tif 000003
【図３】
0006471935.tif 000004
【図４】
0006471935.tif 000005